(57)【特許請求の範囲】
【請求項１】
少なくとも１つのアンテナコイルを含むカードの形状の携帯用物品（１０）を製造する方法であって、
上記アンテナの大きさのコア（１１）を有する第１のカード半ボディ（１０ａ）と、第２のカード半ボディ（１０ｂ）とを製造する段階と、
上記第１のカード半ボディ（１０ａ）のコア（１１）に上記アンテナを直接巻く段階と、
上記２つのカード半ボディ（１０ａ、１０ｂ）を合わせ組立てする段階と、
からなることを特徴とする方法。
【請求項２】
上記第１及び第２のカード半ボディ（１０ａ、１０ｂ）は、モールディングによって作られることを特徴とする請求項１に記載の方法。
【請求項３】
上記第１及び第２のカード半ボディ（１０ａ、１０ｂ）は、位置定め用スタッド（１６ｂ）と、上記位置定め用スタッド（１６ｂ）を受け入れるのに適する盲孔（１６ａ）とを含むことを特徴とする請求項２に記載の方法。
【請求項４】
上記第１及び第２のカード半ボディ（１０ａ、１０ｂ）は、上記位置定め用スタッド（１６ｂ）を、上記盲孔（１６ａ）内にスナップインで留めることによって合わせ組立てされることを特徴とする請求項３に記載の方法。
【請求項５】
上記第１及び第２のカード半ボディ（１０ａ、１０ｂ）は、接着剤によって合わせ組立てされることを特徴とする請求項１乃至３の何れか１つに記載の方法。
【請求項６】
上記第１及び第２のカード半ボディ（１０ａ、１０ｂ）は、超音波溶接によって合わせ組立てされることを特徴とする請求項１乃至３の何れか１つに記載の方法。
【請求項７】
上記第１のカード半ボディ（１０ａ）内に設けられている空洞（１２）の内側に印刷回路（１３）を取付け、上記アンテナの各端を上記印刷回路の接続パッド（１４ａ、１４ｂ）に接続する段階をさらに備えていることを特徴とする請求項１乃至６の何れか１つに記載の方法。
【請求項８】
上記印刷回路（１３）は、上記コイルを巻いた後に上記空洞（１２）の内側に取付けられ、上記アンテナの両端を同時に上記接続パッド（１４ａ、１４ｂ）に接続することを特徴とする請求項７に記載の方法。
【請求項９】
上記印刷回路（１３）は、上記コイルを巻く前に上記空洞（１２）の内側に取付けられ、上記アンテナの第１の端は上記コイルを巻く前に第１の接続パッド（１４ａ）に接続され、上記アンテナの第２の端は上記コイルを巻いた後に第２の接続パッド（１４ｂ）に接続されることを特徴とする請求項７に記載の方法。
【請求項１０】
上記アンテナは、熱接着性のワイヤ（２０）で作られることを特徴とする請求項１乃至９の何れか１つに記載の方法。
【発明の詳細な説明】
【０００１】
【発明の属する技術分野】
本発明は、少なくとも１つのアンテナコイルを含むカードの形状の携帯用物品を製造する方法に関する。
本発明の特に有利な応用は、例えば非接触型カード、特定的にはＩＳＯ  ７８１６フォーマットの非接触型カードのような、アンテナを有する携帯用物品を製造する分野にある。
【０００２】
【従来の技術】
現在、アンテナコイルを有するカードを製造するために使用される殆どの方法は、先ずアンテナコイルを巻いてそれを予備形成する特別なツールを使用し、次いでアンテナコイルを受け入れるようにカードボディ内に予め形成されている溝の中にそれを挿入することからなっている。例えば、溝は、溝の底を形成するシートとフレームとを積層し、その上にコアを配置して溝の側壁を形成させることによって作成することができる。
【０００３】
【発明が解決しようとする課題】
それにも拘わらず、これらの公知方法は、連続して遂行される３つの動作が必要であり、そしてそれが時間及び労力を費やすことが欠点である。また、各大きさのアンテナ毎に、それに合わせた特別なツールを必要とすることも知られている。
【０００４】
【課題を解決するための手段】
従って、本発明が解決しようとする技術的問題は、少なくとも１つのアンテナコイルを含むカードの形状の携帯用物品の製造方法を提供することであって、本方法によれば、従来技術の方法に比して遂行される動作の数が少なく、ツールが簡易化される。
【０００５】
【発明の実施の形態】
本発明によれば、上記技術的問題を解決する方法は、
＊上記アンテナの大きさのコアを有する第１のカード半ボディと、第２のカード半ボディとを製造する段階と、
＊上記第１のカード半ボディのコアにアンテナを直接巻く段階と、
＊上記２つのカード半ボディを合わせ組立てする段階と、
からなる。
従って、本発明の方法によれば、アンテナコイルを予備形成してそれを溝の中に挿入することを必要とせずに、１回のコイル巻き動作で携帯用物品のアンテナを製造することができる。また、本発明の付加的な長所は、単一のツールを準備するだけでこのツールが万能巻線機となり、どのような大きさのアンテナにも使用することができ、また第１のカード半ボディが心棒または「コイル形成器」としてこのツール上に直接取付けられることである。
【０００６】
要約すれば、本発明の方法によって製造されるアンテナは、電子成分、電池等のような携帯用物品の動作に必要ないろいろな副組立体を担持している印刷回路に結合されることを意図している。
本発明の方法は、第１のカード半ボディ内に形成された空洞内に印刷回路を取付ける段階をさらに含み、アンテナの各端は印刷回路の接続パッドに接続されるようになっている。
第１の実施例においては、コイルが巻かれた後に印刷回路が空洞の内側に取付けられ、アンテナの両端は取付けパッドに同時に接続される。
第２の実施例においては、コイルを巻く前に印刷回路が空洞の内側に取付けられ、アンテナの第１の端はコイルを巻く前に第１の接続パッドに接続され、アンテナの第２の端はコイルが巻かれた後に第２の接続パッドに接続される。
【０００７】
以下の単に例示的に示す添付図面に基づく説明から、本発明がより明白になるであろう。
【０００８】
【実施例】
図１は、アンテナコイルを受けるようになっているカードの形状の携帯用物品１０の斜視図である。合わせ組立てされた時に実質的に矩形の平行六面体になる第１及び第２のカード半ボディ１０ａ及び１０ｂを、本発明の方法の第１の段階において例えばモールドを使用して作ることからこの携帯用物品（以下に「カード」という）が製造される。
図１から明白なように、第１のカード半ボディ１０ａは、半ボディ１０ａの全体的な面Ｐから突き出たコア１１を有している。コア１１は作成されるアンテナの大きさに一致し、このアンテナはコア１１の周囲に直接巻くことによって作られる。
【０００９】
正確に言えば、図２に示すように、第１のカード半ボディ１０ａはコイル巻線機（図示してない）上に直接取付けられ、心棒として働く。ワイヤ２０は、軸Ａを中心として第１のカード半ボディ１０ａを回転させることによって、コア１１の周囲に駆動され、巻かれる。コイルを巻く時に、ブレーキをかけることができる。これは、第１に、良好な機械的密着を得るために、そして第２に、コア全体が円筒形ではなく線形巻線速度が一定ではないことを補償するためである。最後に、案内３０を半ボディ１０ａに接触せしめて、コイルを巻いている間ワイヤ２０を面Ｐに接触させ続けるようにする。
本発明が関連する携帯用物品は通常はカードであり、これらのカードにおいては、カードを動作可能にするために必要ないろいろな副組立体（即ちアンテナを介して受信した信号を処理し、同じようにアンテナを介して送信するための信号を生成する電子成分、及び多分電源用電池）を担持する印刷回路にアンテナを接続する必要がある。
【００１０】
この目的のために、図１及び２に示す空洞１２が第１のカード半ボディ１０ａ内に設けられていて、アンテナの各端と印刷回路の接続パッドとの間の電気接続を可能にしている。
印刷回路は、アンテナを巻く前でも、または巻いた後でも第１のカード半ボディ１０ａに取付けることができる。
図３は、アンテナを巻いた後に印刷回路１３を取付ける場合を示している。ワイヤ２０の両端は、カードの半ボディ１０ａの外側で印刷回路の接続パッド１４ａ及び１４ｂに半田づけされ、次いで印刷回路１３が空洞１２内に折り返されて成分１３ａが下向きになり、このようにして作られたワイヤ２０のループが空洞１２内に受入れられるようになる。
【００１１】
図４に示すように、もしアンテナを巻く前に印刷回路を空洞１２内に取付けるのであれば、始めにワイヤ２０の第１の端を印刷回路１３の第１の接続パッド１４ａに半田づけする。次いで、本発明の方法を適用してアンテナをコア１１の周囲に巻く。次に、ワイヤ２０の他方の端を印刷回路１３の第２の接続パッド１４ｂに半田づけする。カードの他の成分１３ａをも担持している印刷回路１３との接続を容易にするために、ワイヤ２０は自己ストリップ型であることができる。図３の例とは異なり、図４の例では印刷回路１３は空洞１２の底に位置する。この場合、単一の回路にアンテナワイヤ２０の端だけではなく、電子成分の接続をも困難を伴わずに半田づけできるようにするために、銀めっきしたトラックを有する印刷回路を使用すると有利である。
【００１２】
ワイヤ２０は、普通の熱接着性の型であることもできる。アンテナに電圧を短時間印加するか、または炉を通過させることによって、アンテナをカードの第１の半ボディ１０ａに固着させる。印刷回路１３上に取付けられている成分１３ａが傷つかないように、ワイヤ２０の第２の端を半田づけする前に電気ショックを遂行する。
ワイヤが大直径（即ち 0.25 ｍｍより大きい）である場合、0.76ｍｍのカード厚を超えないようにしながら外側巻回のストランドを内側巻回の上に巻くことは困難乃至は不可能でさえあり得る。
この場合、図５に示す構成を使用すると有利である。図５の構成では、印刷回路１３（例えば、0.1 ｍｍ厚にしか過ぎない）がコイルの巻回の下に位置するように空洞１２が開かれている。この場合、ワイヤ２０の両端は、空洞１２の外側で接続パッド１４ａ及び１４ｂに半田づけされる。次いで回路１３のトラックを他の電子成分１３ａに接続する。このトラックは短く且つ幅広くすることができるので、極めて薄いにも拘わらずコイルのＱの低下を避けることができる。
【００１３】
アンテナを巻き、印刷回路を取付け、そしてアンテナを回路に半田づけした後に、第２のカード半ボディ１０ｂを組合わせてカード１０を作ることができる。第１及び第２のカード半ボディは、接着剤または超音波溶接によって合わせ組立てされる。もし超音波溶接を使用するのであれば、例えば第２のカード半ボディ１０ｂの周縁にエネルギ集中部１５を含むように注意を払う必要がある。
２つの半ボディ１０ａ及び１０ｂが互いに他方に対して適切に配置されるようにするために、カードの半ボディをモールドする時に、位置定め用スタッド１６ｂと、これらのスタッドを受け入れるのに適当な盲孔１６ａとをこれらの半ボディに設けておく。オプションとして、スタッドを盲孔１６ａ内にスナップイン留めさせて半ボディ１０ａと１０ｂとを合わせ組立てることができるように、これらのスタッド１６ｂを設計することができる。
【００１４】
図５以降の図面には、単一の面内に大直径のワイヤを使用するコイルが示されているが、これは、これらの条件の下でもＩＳＯ  ７８１６標準に準拠するカード厚みが得られることを明白に示す目的からである。勿論、説明中の方法の原理は小直径のワイヤを使用して幾つかの層にしたコイルにも有効である。特別な事前注意を払わなくても外側巻回の端を内側に入れることができるから、実施は容易である。
図５のカード１０は、どのような種類の読み取り機内へ挿入することも意図していないので、非接触型アンテナカードである。これに対して、図６及び７は外部接触を有するアンテナカードである。これらの実施例では、空洞１２は第１のカード半ボディ１０ａの外側に設けられている。成分１３ａを担持する回路１３には、電子メモリカードの分野において公知の技術を使用する外部接触領域が設けられている。このようにして回路１３を空洞１２の内側にはめ込んだ後に、アンテナワイヤ２０を巻き、次いで図５の非接触型カードと同じようにして第２のカード半ボディ１０ｂを第１の半ボディ１０ａに合わせ組立てする。
【００１５】
例えば、２つのアンテナ間に相互結合が得られるように、２つのアンテナを重畳させてその内側領域の部分を重ねるようにすることも望ましいかも知れない。図８は、この特定実施例に本発明をどのように適用できるかを示している。
回路１３は、異なる２つの周波数で動作する。先ずコア１１ａの周囲にワイヤ２０ａを巻くことによって高周波数専用のアンテナを作る。次いで、より低い周波数のアンテナのためにより小さい直径のワイヤ２０ｂを使用し、より多くの巻回をコア１１ｂの周囲に巻く。この低周波数アンテナは、空洞１２とコア１１ｂの周縁とを接続している通路１７を介して印刷回路１３へ接続する。回路は最初に取付けるが、その反対に最後に取付けることもできる。
【図面の簡単な説明】
【図１】本発明の方法によって作られるアンテナを受入れるためのカードの２つの半ボディの斜視図である。
【図２】コイル巻線機に取付けた図１の第１のカード半ボディの側面図である。
【図３】アンテナを巻いた後に印刷回路を取付けるようになっている図２の第１のカード半ボディの側面図である。
【図４】アンテナを巻く前に印刷回路を取付けるようになっている図２の第１のカード半ボディの側面図である。
【図５】本発明によって作られた非接触型カードの側面図である。
【図６】本発明によって作られた外部接触を有するカードの平面図である。
【図７】図６に示すカードの側面図である。
【図８】本発明の方法によって作られた２つのアンテナを有するカードの側面図である。
【符号の説明】
１０  携帯用物品
１１  コア
１２  空洞
１３  印刷回路
１４  接続パッド
１５  エネルギ集中部
１６ａ  盲孔
１６ｂ  位置定め用スタッド
１７  通路
２０  ワイヤ
３０  案内
【図１】
0003961602.tif 000002
【図２】
0003961602.tif 000003
【図３】
0003961602.tif 000004
【図４】
0003961602.tif 000005
【図５】
0003961602.tif 000006
【図６】
0003961602.tif 000007
【図７】
0003961602.tif 000008
【図８】
0003961602.tif 000009